(57)【要約】【課題】踏板と桁材との連結状態がより堅牢で強固となり、負荷が抜止具にかからず、抜止具が緩む虞がなく、踏板が脱落せず、より安定的に且つバランス良く固定でき、構成簡素で、耐久性に優れ、取扱い易く、メンテナンスが容易で、量産に適し、低廉で、経済的な踏板の脱落防止装置を提供する。【解決手段】踏板本体Ａ１の中央補強枠部１に上下貫通孔４を夫々穿設し、端部取付材Ａ２の上片６及び下片７に上下貫通孔１１を夫々穿設し、端部取付材Ａ２の側部基板５に差込孔１０を穿設し、桁材Ｂに差込孔１６を穿設し、差込孔１６、１０に貫通状に差込可能な基体２０を有する脱落防止具Ｃを形成し、脱落防止具Ｃの基体２０の基端部分に差込孔１６の孔縁に係止可能な張出部２１を突設し、貫通孔４、１１に臨む上下方向の貫通孔２２を穿設し、これら貫通孔４、１１、２２を抜止具が貫通して固定できるよう構成する。【選択図】図２
0003129861.tif 000002
【実用新案登録請求の範囲】
【請求項１】
左右桁材間に複数の踏板をボルト・ナットで固定してなるアルミ合金製の仮設足場用階段に於いて、ボルト・ナットが緩んでも踏板の脱落を防止できるようにした脱落防止装置であって、踏板は、踏板本体と、この踏板本体の左右端部にリベット等によって固定される端部取付材とからなり、踏板本体の中央補強枠部の所定位置に上下貫通孔を夫々穿設し、端部取付材の平行な上片及び下片の所定位置に上下貫通孔を夫々穿設し、端部取付材の側部基板の所定位置に差込孔を穿設し、桁材の所定位置に差込孔を穿設し、桁材の外側方から桁材の差込孔と端部取付材の差込孔とに貫通状に差込可能な基体を有する脱落防止具を形成し、この脱落防止具は、基体の基端部分に桁材の差込孔の孔縁部分に係止可能な張出部が突設され、更に、基体には、上下方向に貫通されると共に、踏板本体の貫通孔及び端部取付材の貫通孔に臨むような貫通孔が穿設され、これら踏板本体の貫通孔及び端部取付材の貫通孔及び脱落防止具の貫通孔を、適宜抜止具が貫通して固定できるように構成したことを特徴とする仮設足場用階段に於ける踏板の脱落防止装置。
【請求項２】
左右桁材間に複数の踏板をボルト・ナットで固定してなるアルミ合金製の仮設足場用階段に於いて、ボルト・ナットが緩んでも踏板の脱落を防止できるようにした脱落防止装置であって、踏板は、踏板本体と、この踏板本体の左右端部にリベット等によって固定される端部取付材とからなり、踏板本体は、前縁及び後縁部分に夫々配される略矩形筒状となるような外がわ補強枠部と、前後方向中央部分に配される略矩形筒状となるような中央補強枠部とを備え、踏板本体の中央補強枠部の所定位置に略円形状の上下貫通孔を夫々穿設し、端部取付材の平行な上片及び下片の所定位置に前記中央補強枠部の上下貫通孔に合致するような略円形状の上下貫通孔を夫々穿設し、端部取付材の側部基板の中央に略矩形状の差込孔を穿設し、桁材の所定位置に前記端部取付材の差込孔に合致するような略矩形状の差込孔を穿設し、桁材の差込孔と端部取付材の差込孔に合致して、これらに桁材の外側方から貫通状に差込可能な縦断面矩形状となる基体を有する脱落防止具を形成し、この脱落防止具は、基体の基端部分に桁材の差込孔の孔縁部分に係止可能な張出部が突設され、更に、基体には、上下方向に貫通されると共に、踏板本体の貫通孔及び端部取付材の貫通孔に臨むような略長円状の貫通孔が穿設され、これら踏板本体の貫通孔及び端部取付材の貫通孔及び脱落防止具の貫通孔を、抜止ボルト・ナットが貫通して固定できるように構成したことを特徴とする仮設足場用階段に於ける踏板の脱落防止装置。
【考案の詳細な説明】
【技術分野】
【０００１】
本考案は、主に、建築現場等で使用されるアルミ合金製の仮設足場用階段に於いて、ボルト・ナットで左右桁材間に固定している踏板が、ボルト・ナットが緩んでも脱落することがないようにし、更に、踏板をより安定的に固定でき、しかも、構成が簡素で、耐久性に優れ、取扱い易く、メンテナンスが容易で、量産に適し、低廉で、経済的となるように工夫した仮設足場用階段に於ける踏板の脱落防止装置に関するものである。
【背景技術】
【０００２】
従来、この種の仮設足場用階段にあっては、その軽量化等からアルミ合金によって製造されており、しかも、所定間隔隔てた平行な左右桁材間に、複数の踏板を水平に配すると共にボルト・ナットを介して固定するようにしたものが数多く提供されてきた。
ところが、現場毎で繰り返し利用されること等から、ボルト・ナットが緩む虞があり、この緩みからボルトが抜け、踏板が脱落して大きな事故を招く問題点があった。
【０００３】
そのため、例えば、特許文献１に示すような足場用階段が提案されるようになった。すなわち、傾斜状に配置される左右両側一対の側枠間に、踏板本体の左右両端部に断面コ字状の端部キャップを嵌合固定してなる踏板を水平に一定間隔おきに横架してなる階段であって、各踏板は、各側枠から挿通したボルトを各端部キャップに設けた雌ねじ部に螺合して締め付けることによって、両側枠に固定されるようになっている足場用階段において、各側枠の端部キャップ固定位置に切り込みを設けてこれを側枠の内側へ引き起こすことにより踏板落下防止用ストッパーを形成し、このストッパーで踏板の端部下面を支持するようにしたものである。
【０００４】
【特許文献１】特開２００５−１４６７１３
【考案の開示】
【考案が解決しようとする課題】
【０００５】
しかしながら、前述の如き足場用階段にあっては、ストッパーの上に踏板の端部下面が乗っているだけであり、鉛直下方の負荷はある程度耐えられるようになるが、それ以外の方向からの負荷が踏板に作用した場合は、踏板を保持しておくことができない難点等があった。
【０００６】
そこで、本考案は、前述の如き難点等を解消できるようにし、踏板はボルト・ナットが緩んだとしても脱落することがなくなり、踏板をより安定的に且つバランス良く固定でき、踏板と桁材の連結状態がより堅牢で且つ強固となり、しかも、構成が簡素で、耐久性に優れ、取扱い易く、メンテナンスが容易で、量産に適し、低廉で、経済的な踏板の脱落防止装置を提供すべく案出されたものである。
【課題を解決するための手段】
【０００７】
しかして、前述の如き課題等を達成すべく、請求項１記載の踏板の脱落防止装置にあっては、左右桁材Ｂ間に複数の踏板Ａをボルト１７・ナット１８で固定してなるアルミ合金製の仮設足場用階段に於いて、ボルト１７・ナット１８が緩んでも踏板Ａの脱落を防止できるようにした脱落防止装置であって、踏板Ａは、踏板本体Ａ１と、この踏板本体Ａ１の左右端部にリベット１２等によって固定される端部取付材Ａ２とからなり、踏板本体Ａ１の中央補強枠部１の所定位置に上下貫通孔４を夫々穿設し、端部取付材Ａ２の平行な上片６及び下片７の所定位置に上下貫通孔１１を夫々穿設し、端部取付材Ａ２の側部基板５の所定位置に差込孔１０を穿設し、桁材Ｂの所定位置に差込孔１６を穿設し、桁材Ｂの外側方から桁材Ｂの差込孔１６と端部取付材Ａ２の差込孔１０とに貫通状に差込可能な基体２０を有する脱落防止具Ｃを形成し、この脱落防止具Ｃは、基体２０の基端部分に桁材Ｂの差込孔１６の孔縁部分に係止可能な張出部２１が突設され、更に、基体２０には、上下方向に貫通されると共に、踏板本体Ａ１の貫通孔４及び端部取付材Ａ２の貫通孔１１に臨むような貫通孔２２が穿設され、これら踏板本体Ａ１の貫通孔４及び端部取付材Ａ２の貫通孔１１及び脱落防止具Ｃの貫通孔２２を、適宜抜止具が貫通して固定できるように構成する手段を採用した。
【０００８】
また、請求項２記載の踏板の脱落防止装置にあっては、左右桁材Ｂ間に複数の踏板Ａをボルト１７・ナット１８で固定してなるアルミ合金製の仮設足場用階段に於いて、ボルト１７・ナット１８が緩んでも踏板Ａの脱落を防止できるようにした脱落防止装置であって、踏板Ａは、踏板本体Ａ１と、この踏板本体Ａ１の左右端部にリベット１２等によって固定される端部取付材Ａ２とからなり、踏板本体Ａ１は、前縁及び後縁部分に夫々配される略矩形筒状となるような外がわ補強枠部２と、前後方向中央部分に配される略矩形筒状となるような中央補強枠部１とを備え、踏板本体Ａ１の中央補強枠部１の所定位置に略円形状の上下貫通孔４を夫々穿設し、端部取付材Ａ２の平行な上片６及び下片７の所定位置に前記中央補強枠部１の上下貫通孔４に合致するような略円形状の上下貫通孔１１を夫々穿設し、端部取付材Ａ２の側部基板５の中央に略矩形状の差込孔１０を穿設し、桁材Ｂの所定位置に前記端部取付材Ａ２の差込孔１０に合致するような略矩形状の差込孔１６を穿設し、桁材Ｂの差込孔１６と端部取付材Ａ２の差込孔１０に合致して、これらに桁材Ｂの外側方から貫通状に差込可能な縦断面矩形状となる基体２０を有する脱落防止具Ｃを形成し、この脱落防止具Ｃは、基体２０の基端部分に桁材Ｂの差込孔１６の孔縁部分に係止可能な張出部２１が突設され、更に、基体２０には、上下方向に貫通されると共に、踏板本体Ａ１の貫通孔４及び端部取付材Ａ２の貫通孔１１に臨むような略長円状の貫通孔２２が穿設され、これら踏板本体Ａ１の貫通孔４及び端部取付材Ａ２の貫通孔１１及び脱落防止具Ｃの貫通孔２２を、抜止ボルト２５・ナット２６が貫通して固定できるように構成する手段を採用した。
【考案の効果】
【０００９】
従って、請求項１の踏板の脱落防止装置によれば、踏板Ａはボルト１７・ナット１８が緩んだとしても脱落することがなくなり、踏板Ａをより安定的に且つバランス良く固定できるようになる。
しかも、脱落防止装置自体の構成が簡素で、耐久性に優れ、取扱い易く、メンテナンスが容易となり、量産に適し、低廉で、経済的な踏板の脱落防止装置となる。
【００１０】
特に、踏板本体Ａ１の中央補強枠部１の所定位置に上下貫通孔４を夫々穿設し、端部取付材Ａ２の平行な上片６及び下片７の所定位置に上下貫通孔１１を夫々穿設し、端部取付材Ａ２の側部基板５の所定位置に差込孔１０を穿設し、桁材Ｂの所定位置に差込孔１６を穿設し、桁材Ｂの外側方から桁材Ｂの差込孔１６と端部取付材Ａ２の差込孔１０とに貫通状に差込可能な基体２０を有する脱落防止具Ｃを形成し、この脱落防止具Ｃは、基体２０の基端部分に桁材Ｂの差込孔１６の孔縁部分に係止可能な張出部２１が突設され、更に、基体２０には、上下方向に貫通されると共に、踏板本体Ａ１の貫通孔４及び端部取付材Ａ２の貫通孔１１に臨むような貫通孔２２が穿設され、これら踏板本体Ａ１の貫通孔４及び端部取付材Ａ２の貫通孔１１及び脱落防止具Ｃの貫通孔２２を、適宜抜止具が貫通して固定できるように構成したので、踏板Ａからの負荷が抜止具にかからず、この抜止具が緩むような虞のないものとなり、踏板Ａが脱落する虞のないものとなる。更に、踏板Ａと桁材Ｂとの連結状態がより堅牢で強固となる。
【００１１】
また、請求項２の踏板の脱落防止装置によれば、踏板Ａはボルト１７・ナット１８が緩んだとしても脱落することがなくなり、踏板Ａをより安定的に且つバランス良く固定できるようになる。
しかも、脱落防止装置自体の構成が簡素で、耐久性に優れ、取扱い易く、メンテナンスが容易となり、量産に適し、低廉で、経済的な踏板の脱落防止装置となる。
【００１２】
特に、踏板本体Ａ１の中央補強枠部１の所定位置に略円形状の上下貫通孔４を夫々穿設し、端部取付材Ａ２の平行な上片６及び下片７の所定位置に前記中央補強枠部１の上下貫通孔４に合致するような略円形状の上下貫通孔１１を夫々穿設し、端部取付材Ａ２の側部基板５の中央に略矩形状の差込孔１０を穿設し、桁材Ｂの所定位置に前記端部取付材Ａ２の差込孔１０に合致するような略矩形状の差込孔１６を穿設し、桁材Ｂの差込孔１６と端部取付材Ａ２の差込孔１０に合致して、これらに桁材Ｂの外側方から貫通状に差込可能な縦断面矩形状となる基体２０を有する脱落防止具Ｃを形成し、この脱落防止具Ｃは、基体２０の基端部分に桁材Ｂの差込孔１６の孔縁部分に係止可能な張出部２１が突設され、更に、基体２０には、上下方向に貫通されると共に、踏板本体Ａ１の貫通孔４及び端部取付材Ａ２の貫通孔１１に臨むような略長円状の貫通孔２２が穿設され、これら踏板本体Ａ１の貫通孔４及び端部取付材Ａ２の貫通孔１１及び脱落防止具Ｃの貫通孔２２を、抜止ボルト２５・ナット２６が貫通して固定できるように構成したので、踏板Ａからの負荷が抜止ボルト２５・ナット２６にかからず、この抜止ボルト２５・ナット２６が緩むような虞のないものとなり、踏板Ａが脱落する虞のないものとなる。更に、踏板Ａと桁材Ｂとの連結状態がより堅牢で強固となる。しかも、踏板Ａ自体の互換装着も簡単に行えるようになり、メンテナンスも行い易い、使い勝手の優れたものとなる。
【００１３】
加えて、端部取付材Ａ２の側部基板５の中央に略矩形状の差込孔１０を穿設し、桁材Ｂの所定位置に前記端部取付材Ａ２の差込孔１０に合致するような略矩形状の差込孔１６を穿設し、桁材Ｂの差込孔１６と端部取付材Ａ２の差込孔１０に合致して、これらに桁材Ｂの外側方から貫通状に差込可能な縦断面矩形状となる基体２０を有する脱落防止具Ｃを形成したので、桁材Ｂに対する踏板Ａの回り止め効果が期待できるようになる。
【００１４】
更に、基体２０には、上下方向に貫通されると共に、踏板本体Ａ１の貫通孔４及び端部取付材Ａ２の貫通孔１１に臨むような略長円状の貫通孔２２が穿設されているので、抜止ボルト２５を貫通孔２２に挿通させ易いものとなる。
【考案を実施するための最良の形態】
【００１５】
以下、本考案を説明すると、次の通りである。
本考案は、左右桁材Ｂ間に複数の踏板Ａをボルト１７・ナット１８で固定してなるアルミ合金製の仮設足場用階段に於いて、ボルト１７・ナット１８が緩んでも踏板Ａの脱落を防止できるようにした脱落防止装置である。
具体的には、踏板Ａは、踏板本体Ａ１と、この踏板本体Ａ１の左右端部にリベット１２等によって固定される端部取付材Ａ２とで構成する。
そして、踏板本体Ａ１の中央補強枠部１の所定位置に上下貫通孔４を夫々穿設し、端部取付材Ａ２の平行な上片６及び下片７の所定位置に上下貫通孔１１を夫々穿設し、端部取付材Ａ２の側部基板５の所定位置に差込孔１０を穿設し、桁材Ｂの所定位置に差込孔１６を穿設する。
一方、桁材Ｂの外側方から桁材Ｂの差込孔１６と端部取付材Ａ２の差込孔１０とに貫通状に差込可能な基体２０を有する脱落防止具Ｃを形成する。
しかも、この脱落防止具Ｃは、基体２０の基端部分に桁材Ｂの差込孔１６の孔縁部分に係止可能な張出部２１を突設し、更に、基体２０には、上下方向に貫通すると共に、踏板本体Ａ１の貫通孔４及び端部取付材Ａ２の貫通孔１１に臨むような貫通孔２２を穿設し、これら踏板本体Ａ１の貫通孔４及び端部取付材Ａ２の貫通孔１１及び脱落防止具Ｃの貫通孔２２に、適宜抜止具が貫通せしめて固定できるように構成したものである。
【実施例】
【００１６】
前記踏板Ａは、例えば、アルミ合金製の押出形材によって形成される踏板本体Ａ１と、アルミ合金製の押出形材によって形成される端部取付材Ａ２とからなり、踏板本体Ａ１の左右端部に端部取付材Ａ２がリベット１２によって夫々固定されている。
【００１７】
前記踏板本体Ａ１は、例えば、その前縁及び後縁部分に略矩形筒状となる外がわ補強枠部２が夫々配され、その前後方向中央部分に略矩形筒状となる中央補強枠部１が配され、これらの上面部分を矩形板で連結したような形状に構成されている。尚、踏板本体Ａ１の上面は、全体的には平坦であると共に、細かな凹凸等の適宜滑り止め手段が施されるようになる。
そして、外がわ補強枠部２の左右端部寄り上下面には、略円形状の固定孔３が穿設され、中央補強枠部１の左右端部寄り上下面には、略円形状の貫通孔４が穿設されている。
尚、固定孔３は、踏板本体Ａ１に端部取付材Ａ２を固定するためのリベット１２の取付孔となる。また、貫通孔４は、脱落防止具Ｃを踏板Ａに固定するための抜止ボルト２５（抜止具）の取付孔となる。
【００１８】
前記端部取付材Ａ２は、例えば、踏板本体Ａ１の左右端面を覆うような略細長矩形状の側部基板５と、この側部基板５の上下縁に夫々直角に連設されると共に、踏板本体Ａ１の端部上下面を覆うような略帯板状の上片６及び下片７とで、断面略コ字状となるように形成されている。
そして、上片６及び下片７の両端部分夫々には、略円形状の固定孔８が穿設され、上片６及び下片７の中央には、略円形状の貫通孔１１が穿設され、側部基板５の中央部分には、所定間隔離れた状態で一対の略円形状の取付孔９が穿設され、側部基板５の中央には、略矩形状の差込孔１０が穿設されている。
尚、固定孔８は、踏板本体Ａ１に端部取付材Ａ２を固定するためのリベット１２の取付孔となる。また、貫通孔１１は、脱落防止具Ｃを踏板Ａに固定するための抜止ボルト２５（抜止具）の取付孔となる。更に、取付孔９は、踏板Ａを桁材Ｂに固定するするためのボルト１７・ナット１８の取付孔となる。そして、差込孔１０は、踏板Ａを桁材Ｂに固定するため（脱落防止用として）の脱落防止具Ｃ（基体２０）の差込孔となる。
ところで、取付孔９と差込孔１０は、端部取付材Ａ２の側部基板５の中央部分に設けた略横向き長円状の突出部（或いは、厚肉部としても良い）に設けられるようにしてある。
【００１９】
前記桁材Ｂは、例えば、アルミ合金製の押出形材によって形成され、踏板Ａに当接する略細長矩形板状の基板部分と、この基板部分の長辺端縁に夫々直角に連設される一対の略帯板状の折曲片とで、断面略コ字状となるように形成されている。
そして、基板部分には、一対の略円形状の取付孔１５が複数組穿設され、この一対の取付孔１５の中央部分には、略矩形状の差込孔１６が穿設されている。
尚、取付孔１５は、踏板Ａを桁材Ｂに固定するするためのボルト１７・ナット１８の取付孔となる。また、差込孔１６は、踏板Ａを桁材Ｂに固定するため（脱落防止用として）の脱落防止具Ｃ（基体２０）の差込孔となる。
【００２０】
前記脱落防止具Ｃは、例えば、アルミ合金製の押出形材によって形成され、桁材Ｂの差込孔１６と端部取付材Ａ２の差込孔１０に合致して、これらに桁材Ｂの外側方から貫通状に差込可能な縦断面矩形状となる基体２０を有し、この基体２０の基端部分には、桁材Ｂの差込孔１６の孔縁部分に係止可能な張出部２１が左右に夫々突設されている。すなわち、張出部２１が差込孔１６の孔縁部分に係止されて、それ以上押し込むことができないように形成されている。
更に、基体２０には、上下方向に貫通されると共に、踏板本体Ａ１の貫通孔４及び端部取付材Ａ２の貫通孔１１に臨むような長円状の貫通孔２２が穿設されて形成されている。
そして、これら踏板本体Ａ１の貫通孔４及び端部取付材Ａ２の貫通孔１１及び脱落防止具Ｃの貫通孔２２を、抜止ボルト２５・ナット２６（抜止具）が貫通して固定できるように構成されている。
前記基体２０は、例えば、先端がわに行くに従ってその左右側面部分が漸次接近するようなテーパー状に形成されており、差込孔１６、１０に差込み易くなるように形成されている。
【００２１】
尚、前記リベット１２は、ボルト・ナットを利用したものであっても良し、また、ボルト１７・ナット１８は、リベットを利用したものであっても良い。
更に、抜止具は、図示例のような抜止ボルト２５・ナット２６でも良いし、リベット或いはその他のものを利用しても良い。
【００２２】
ところで、脱落防止装置の具体的構成、形状、寸法、材質、踏板Ａの具体的構成、形状、寸法、材質、踏板本体Ａ１の具体的構成、形状、寸法、材質、端部取付材Ａ２の具体的構成、形状、寸法、材質、中央補強枠部１の具体的構成、形状、寸法、材質、配設位置、外がわ補強枠部２の具体的構成、形状、寸法、材質、配設位置、固定孔３の具体的構成、形状、寸法、配設位置、数、貫通孔４の具体的構成、形状、寸法、配設位置、数、側部基板５の具体的構成、形状、寸法、材質、上片６の具体的構成、形状、寸法、材質、下片７の具体的構成、形状、寸法、材質、固定孔８の具体的構成、形状、寸法、配設位置、数、取付孔９の具体的構成、形状、寸法、配設位置、数、差込孔１０の具体的構成、形状、寸法、配設位置、数、貫通孔１１の具体的構成、形状、寸法、配設位置、数、リベット１２の具体的構成、形状、寸法、材質、桁材Ｂの具体的構成、形状、寸法、材質、取付孔１５の具体的構成、形状、寸法、配設位置、数、差込孔１６の具体的構成、形状、寸法、配設位置、数、ボルト１７の具体的構成、形状、寸法、材質、ナット１８の具体的構成、形状、寸法、材質、脱落防止具Ｃの具体的構成、形状、寸法、材質、基体２０の具体的構成、形状、寸法、材質、張出部２１の具体的構成、形状、寸法、配設位置、数、貫通孔２２の具体的構成、形状、寸法、配設位置、数、抜止ボルト２５の具体的構成、形状、寸法、材質、ナット２６の具体的構成、形状、寸法、材質等は、図示例のもの等に限定されることなく適宜自由に設定、変更できるものである。
【図面の簡単な説明】
【００２３】
【図１】本考案を採用した仮設足場用階段を例示する一部省略側面図である。
【図２】本考案を例示する部分分解斜視図である。
【図３】本考案を例示する一部切欠部分平面図である。
【符号の説明】
【００２４】
Ａ      踏板
Ａ１    踏板本体
Ａ２    端部取付材
１      中央補強枠部
２      外がわ補強枠部
３      固定孔
４      貫通孔
５      側部基板
６      上片
７      下片
８      固定孔
９      取付孔
１０    差込孔
１１    貫通孔
１２    リベット
Ｂ      桁材
１５    取付孔
１６    差込孔
１７    ボルト
１８    ナット
Ｃ      脱落防止具
２０    基体
２１    張出部
２２    貫通孔
２５    抜止ボルト
２６    ナット
【図１】
0003129861.tif 000003
【図２】
0003129861.tif 000004
【図３】
0003129861.tif 000005